(57)【特許請求の範囲】
【請求項１】
略鉛直な壁面を形成するように、矩形を呈し前記壁面として露出する前面部と、前記前面部の上縁から離れる方向に下る傾斜を有する上面部と、前記前面部の下縁に接して前記上面部と平行な下面部と、を備えた複数のブロックを前記前面部が略面一になるように積み上げる工程と、
前記複数のブロックのうち所定のブロックを積み上げる際に、長尺部材の一端部を前記ブロックの間に挟み込み、その長尺部材の他端部側を前記ブロックから離間した位置に設置する工程と、
前記積み上げた複数のブロックの背面側に盛土材を投入し、前記長尺部材を埋め込む工程と、
前記積み上げた複数のブロックの前面部を覆うように被覆部材を設置し、前記ブロック間から突き出ている前記長尺部材の一端部に前記被覆部材を固定する工程と、
を有することを特徴とする耐震性盛土の構築方法。
【請求項２】
前記被覆部材の下端部を下段側のブロックに仮止めしておき、
前記ブロックを積み上げる過程で前記長尺部材が設置されたことに応じて前記被覆部材の上端部側を引き上げ、その被覆部材を前記長尺部材の一端部に固定することを繰り返して、前記複数のブロックからなる擁壁の壁面を前記被覆部材で覆うことを特徴とする請求項１に記載の耐震性盛土の構築方法。
【発明の詳細な説明】
【技術分野】
【０００１】
本発明は、耐震性盛土の構築方法に関する。
【背景技術】
【０００２】
従来、盛土施工時に、その盛土を補強する鉛直な擁壁または鉛直に近い急勾配の擁壁を構築する工法として、ＲＲＲ工法（例えば、特許文献１参照）や、テールアルメ工法（例えば、特許文献２参照）などの技術が知られている。
ＲＲＲ工法は、盛土の施工箇所に土嚢とジオテキスタイルを設置し、ジオテキスタイル上に土嚢の厚み分の盛土材を圧密することを繰り返し、所定の高さまで積まれた複数段の土嚢の前面に擁壁を場所打ちして構築する工法である。
テールアルメ工法は、複数のパネルを組み付けて擁壁面を形成しつつ、各パネルの後面に接続されたストリップを盛土材で埋め込むことを繰り返し、所定の高さの擁壁を構築する工法である。
【先行技術文献】
【特許文献】
【０００３】
【特許文献１】特開昭６４−２１１２２号公報
【特許文献２】特表２００７−５０８４７４号公報
【発明の概要】
【発明が解決しようとする課題】
【０００４】
しかしながら、ＲＲＲ工法の場合、積み上げた土嚢の前面に擁壁を場所打ちして構築するため、大掛かりな施工になってしまう。
また、テールアルメ工法の場合、複数のパネルを組み付けるという比較的小規模の施工で擁壁を構築することができるが、複数のパネルからなる擁壁面に局所的に強い負荷（土圧）が作用したことで、一部のパネルが押し出されて擁壁面が変形してしまうような不具合が生じることがあった。
【０００５】
本発明の目的は、簡便な施工で構築でき、好適に盛土の耐震性を高めることができる耐震性盛土の構築方法を提供することである。
【課題を解決するための手段】
【００１２】
上記目的を達成するため、本出願に係る発明は、耐震性盛土の構築方法であって、
略鉛直な壁面を形成するように、矩形を呈し前記壁面として露出する前面部と、前記前面部の上縁から離れる方向に下る傾斜を有する上面部と、前記前面部の下縁に接して前記上面部と平行な下面部と、を備えた複数のブロックを前記前面部が略面一になるように積み上げる工程と、
前記複数のブロックのうち所定のブロックを積み上げる際に、長尺部材の一端部を前記ブロックの間に挟み込み、その長尺部材の他端部側を前記ブロックから離間した位置に設置する工程と、
前記積み上げた複数のブロックの背面側に盛土材を投入し、前記長尺部材を埋め込む工程と、
前記積み上げた複数のブロックの前面部を覆うように被覆部材を設置し、前記ブロック間から突き出ている前記長尺部材の一端部に前記被覆部材を固定する工程と、
を有するようにした。
【００１３】
かかる構成の耐震性盛土の構築方法であれば、複数のブロックを積み上げて擁壁を形成するので、施工現場で擁壁を場所打ちして構築することに比べて簡便な施工で構築でき、耐震性の高い盛土を構築することができる。
そして、この構築方法によって造られる耐震性盛土構造は、一端部がブロックに挟み込まれて擁壁と一体化された長尺部材と、擁壁の壁面に突き出ている長尺部材の一端部に固定されて擁壁と一体化された被覆部材とを備えており、擁壁と長尺部材と被覆部材とが一体化した構造を有しているので、擁壁に盛土の土圧が作用した際、アンカーとして機能する長尺部材によって擁壁が倒壊するのを抑制するとともに、擁壁の壁面を覆う被覆部材によってブロックが部分的に押し出されてしまうのを抑制することができ、擁壁が損傷するのを防ぐことができる。
つまり、この構築方法によって造られた耐震性盛土構造であれば、損傷し難い擁壁を備えているので、好適に盛土の耐震性を高めることができる。
【００１４】
また、望ましくは、
前記被覆部材の下端部を下段側のブロックに仮止めしておき、
前記ブロックを積み上げる過程で前記長尺部材が設置されたことに応じて前記被覆部材の上端部側を引き上げ、その被覆部材を前記長尺部材の一端部に固定することを繰り返して、前記複数のブロックからなる擁壁の壁面を前記被覆部材で覆うようにした。
【００１５】
こうすることで、ブロックを積み上げて擁壁を形成する過程で、ブロックに一端部を挟み込む長尺部材を設置しつつ、順次擁壁の壁面を覆う被覆部材を設置することができるので、効率よく耐震性の高い盛土構造を構築することができる。
【発明の効果】
【００１６】
本発明によれば、簡便な施工で構築でき、好適に盛土の耐震性を高めることができる耐震性盛土構造が得られる。
【図面の簡単な説明】
【００１７】
【図１】本実施形態の耐震性盛土構造を示す概略斜視図である。
【図２】本実施形態の耐震性盛土構造を示す概略側面図である。
【図３】本実施形態の耐震性盛土構造の構築方法に関する説明図（ａ）〜（ｃ）である。
【発明を実施するための形態】
【００１８】
以下、図面を参照して、本発明に係る耐震性盛土構造及び耐震性盛土の構築方法の実施形態について詳細に説明する。但し、以下に述べる実施形態には、本発明を実施するために技術的に好ましい種々の限定が付されているが、本発明の範囲を以下の実施形態及び図示例に限定するものではない。
【００１９】
図１は、本実施形態の耐震性盛土構造１００を示す概略斜視図であり、図２（ａ）はその概略側面図である。
耐震性盛土構造１００は、図１、図２に示すように、盛土５０の前面側に複数のブロック１を積み上げて形成した擁壁１０と、一端部２０ａがブロック１に挟み込まれ、他端部２０ｂ側が擁壁１０から離間する方向に延在して盛土５０に埋め込まれた長尺部材２０と、擁壁１０の壁面を覆い、その壁面に突き出ている長尺部材２０の一端部２０ａに固定された被覆部材３０と、を備えている。
この耐震性盛土構造１００は、複数のブロック１を積み上げて擁壁１０を形成しつつ、ブロック１（擁壁１０）の背面側に盛土材を投入して施工する盛土５０を補強し、耐震性を高めるために構築した構造物である。
【００２０】
擁壁１０は、鉛直あるいは鉛直に近い急勾配な壁面を有するコンクリートブロック積み擁壁であり、擁壁１０の背面で盛土５０からの土圧を受け止め、その盛土５０を補強している。
この擁壁１０を構成するコンクリート製の各ブロック１は、矩形を呈し壁面として露出する前面部１ａと、前面部１ａの上縁から盛土５０側に下る傾斜を有する上面部１ｂと、前面部１ａの下縁に接して上面部１ｂと平行な下面部１ｃと、を備えており、それらブロック１の前面部１ａが略面一になるように積み上げられている。
なお、単体としてのブロック１は、矩形を呈する前面部１ａを有しており、その前面部１ａを鉛直面とした際、前面部１ａの上縁に接する上面部１ｂは前面部１ａから離れる方向に下る傾斜面となり、前面部１ａの下縁に接する下面部１ｃは上面部１ｂと平行な傾斜面となる。また、ブロック１の前面部１ａと上面部１ｂと下面部１ｃとに接する左右の側面は互いに平行な面になっている。
そして、本実施形態のブロック１は側面視略平行四辺形を呈する形状を有しており、ブロック１の前面部１ａを同じ向きに鉛直に揃え、下段のブロック１の上面部１ｂに上段のブロック１の下面部１ｃを位置合わせするように積むことで、ブロック１の前面部１ａが略面一になり、略鉛直な壁面が形成されるようになっている。
【００２１】
また、本実施形態では、地面Ｇにコンクリート製の基礎構造体１１を埋設しており、その基礎構造体１１上に擁壁１０が構築されている。
この基礎構造体１１上に最下段のブロック１を積んだ際に、ブロック１の前面部１ａが鉛直な面になるように、基礎構造体１１の上面１１ａは、ブロック１の上面部１ｂと下面部１ｃとに対応する傾斜面になっている。
【００２２】
長尺部材２０は、例えば鉄筋やＰＣ鋼棒からなり、擁壁１０に垂直な向きに連結されているアンカー部材である。
この長尺部材２０の一端部２０ａは、ブロック１に挟み込まれて擁壁１０の壁面から突き出ており、その一端部２０ａにボルトなどの締結部材Ｂによって被覆部材３０が取り付けられている。
【００２３】
また、長尺部材２０は、盛土５０の想定されるすべり面Ｐを左右方向に突き抜けるように複数設置されている。換言すれば、盛土５０の深い位置ほど短い長尺部材２０が設置され、盛土５０の浅い位置ほど長い長尺部材２０が設置されており、各長尺部材２０は、盛土５０の想定されるすべり面Ｐを左右方向に突き抜けている。
そして、長尺部材２０の他端部２０ｂには、引抜抵抗部材２１が配設されている。
【００２４】
引抜抵抗部材２１は、例えば、長尺部材２０に垂直に取り付けられた平板状部材であり、長尺部材２０が擁壁１０側に引き抜かれることに抵抗するアンカーとしての機能を有している。なお、引抜抵抗部材２１は、長尺部材２０に垂直に取り付けられた棒状部材であってもよい。
長尺部材２０に引抜抵抗部材２１が配設されていることで、長尺部材２０が盛土５０から引き抜かれ難くなり、長尺部材２０が連結されている擁壁１０の耐力が向上する。つまり、引抜抵抗部材２１が設けられた長尺部材２０が連結されている擁壁１０であれば、盛土５０の土圧に対する抵抗力が向上するので盛土５０を好適に補強することが可能になる。
【００２５】
被覆部材３０は、例えば、補強ネットや補強シートなど、擁壁１０の壁面を覆うことができる部材であり、擁壁１０の壁面から突き出ている長尺部材２０の一端部２０ａに締結部材Ｂによって取り付けられている。
被覆部材３０は、耐候性を有する高強度のものであれば、樹脂製であっても金属製であってもよい。なお、樹脂製の補強ネットや補強シートは、樹脂繊維からなる複数本の紐を交織あるいは交編して製造することができる。金属製の補強ネットや補強シートは、複数本のワイヤーやワイヤー撚り線を交織あるいは交編して製造することができる。
擁壁１０の壁面を覆う被覆部材３０を配設することによって、盛土５０の土圧によりブロック１が部分的に押し出されてしまうことを抑制できる。
【００２６】
次に、本実施形態の耐震性盛土構造１００の構築方法について説明する。
【００２７】
まず、図３（ａ）に示すように、擁壁１０を構築する範囲の地面Ｇに基礎構造体１１を埋設し、その基礎構造体１１上に最下段のブロック１を積む。このときブロック１の前面部１ａが鉛直面になるように積む。
そして、下段側のブロック１に被覆部材３０の下端部を仮止めしておく。
また、積み上げたブロック１の背面側に盛土材を投入し、盛土５０を施工していく。
【００２８】
次いで、図３（ｂ）に示すように、ブロック１の前面部１ａが略面一になるように複数のブロック１を積み上げていく。
そして、複数のブロック１のうち所定のブロック１を積み上げる際に、長尺部材２０の一端部２０ａをブロック１の間に挟み込み、その長尺部材２０の他端部２０ｂ側をブロック１から離間した位置に設置する。なお、長尺部材２０を設置した後に長尺部材２０の他端部２０ｂに引抜抵抗部材２１を固定してもよく、予め他端部２０ｂに引抜抵抗部材２１を固定しておいた長尺部材２０を設置するようにしてもよい。
【００２９】
また、図３（ｂ）に示すように、ブロック１を積み上げる過程で長尺部材２０が設置されたことに応じて、下端部が仮止めされている被覆部材３０の上端部側を引き上げ、ブロック１の前面部１ａを覆うように壁面に配した被覆部材３０を、ブロック１間から突き出ている長尺部材２０の一端部２０ａに締結部材Ｂを用いて固定する。
また、積み上げたブロック１の背面側に盛土材を投入し、長尺部材２０を盛土５０に埋め込む。
【００３０】
そして、図３（ｃ）に示すように、さらに複数のブロック１を積み上げることと、所定のブロック１を積み上げる際にその一端部２０ａをブロック１の間に挟み込んで長尺部材２０を設置することと、ブロック１の前面部１ａを覆うように引き上げた被覆部材３０を長尺部材２０の一端部２０ａに固定することと、積み上げたブロック１の背面側に盛土材を投入して長尺部材２０を盛土５０に埋め込むことを適宜繰り返して、複数のブロック１からなる擁壁１０の壁面を被覆部材３０で覆ってなる耐震性盛土構造１００（図２参照）を盛土５０の施工に合わせて構築する。
こうして盛土５０の施工に合わせて構築した耐震性盛土構造１００によって、その盛土５０を補強し、耐震性を高めるようになっている。
【００３１】
このように、本実施形態の耐震性盛土構造１００は、盛土５０の前面側に複数のブロック１を積み上げて形成した擁壁１０と、一端部２０ａがブロック１に挟み込まれて擁壁１０と一体化された長尺部材２０と、擁壁１０の壁面に突き出ている長尺部材２０の一端部２０ａに固定されて擁壁１０と一体化された被覆部材３０と、を備えて構成されている。
このような耐震性盛土構造１００であれば、施工現場で擁壁を場所打ちして構築することに比べて簡便な施工で構築でき、擁壁１０の背面側の盛土５０を補強して、盛土５０の耐震性を高めることができる。
【００３２】
そして、この耐震性盛土構造１００は、擁壁１０と長尺部材２０と被覆部材３０とが一体化した構造を有しているので、擁壁１０に盛土５０の土圧が作用した際、アンカーとして機能する長尺部材２０および引抜抵抗部材２１によって擁壁１０が倒壊するのを抑制するとともに、擁壁１０の壁面を覆う被覆部材３０によってブロック１が部分的に押し出されてしまうのを抑制することができ、擁壁１０が損傷することを防ぐことができる。
つまり、この耐震性盛土構造１００は、損傷し難い擁壁１０を備えているので、好適に盛土５０の耐震性を高めることができる。
【００３３】
特に、擁壁１０を構成するブロック１は、前面部１ａを鉛直面とした際、前面部１ａの上縁に接する上面部１ｂと、前面部１ａの下縁に接する下面部１ｃは傾斜面となっており、擁壁１０として積まれたブロック１の上面部１ｂと下面部１ｃとが接合する面が、盛土５０側に下る傾斜面になっているので、盛土５０の土圧がブロック１を押し出すように作用した際、そのブロック１は自重に起因する復元力によって傾斜面に沿って滑り下りるようにして擁壁１０の所定位置に復元しやすくなっている。
つまり、盛土５０の土圧によってブロック１が押し出され難くなっており、擁壁１０が損傷し難くなっているので、この擁壁１０を備えた耐震性盛土構造１００であれば、好適に盛土５０を補強しその耐震性を高めることができる。
【００３４】
また、本実施形態の耐震性盛土構造１００は、前面部１ａを鉛直面とした際、前面部１ａの上縁に接する上面部１ｂと、前面部１ａの下縁に接する下面部１ｃとが傾斜面となるブロック１を積み上げて、盛土５０を補強する鉛直な擁壁１０または鉛直に近い急勾配の擁壁１０を構築することができるので、緩やかな勾配の擁壁を構築することに比べ、盛土５０上面の用地を広く確保することができる。
【００３５】
なお、以上の実施の形態においては、ブロック１を積み上げる過程で長尺部材２０が設置されたことに応じて被覆部材３０の上端部側を引き上げ、その被覆部材３０を長尺部材２０の一端部２０ａに固定することを繰り返して、複数のブロック１からなる擁壁１０の壁面を被覆部材３０で覆うようにしたが、本発明はこれに限定されるものではない。例えば、擁壁１０が完成した後に壁面を覆う被覆部材３０を設置し、その被覆部材３０を長尺部材２０の一端部２０ａに固定するようにしてもよい。
【００３６】
また、一枚の被覆部材３０で擁壁１０の壁面を覆うことに限らず、擁壁１０が盛土５０に沿って延在する範囲を複数に分割するように、複数枚の被覆部材３０で擁壁１０の壁面を覆うようにしてもよい。
【００３７】
また、その他、具体的な細部構造等についても適宜に変更可能であることは勿論である。
【符号の説明】
【００３８】
１      ブロック
１ａ    前面部
１ｂ    上面部
１ｃ    下面部
１０    擁壁
２０    長尺部材
２０ａ  一端部
２０ｂ  他端部
２１    引抜抵抗部材
３０    被覆部材
５０    盛土
１００  耐震性盛土構造
Ｇ      地面
Ｐ      すべり面
【図１】
0006563726.tif 000002
【図２】
0006563726.tif 000003
【図３】
0006563726.tif 000004